【手続補正書】
【提出日】平成20年10月9日(2008.10.9)
【手続補正１】
【補正対象書類名】特許請求の範囲
【補正対象項目名】全文
【補正方法】変更
【補正の内容】
【特許請求の範囲】
【請求項１】
表示部に絵柄を変動表示する絵柄表示手段と、
遊技球を遊技領域に発射させるべく操作される操作手段と、
前記遊技領域に設けられると共に、遊技球が入球し易い開放状態とその開放状態より入球しにくい閉鎖状態とに切り換え可能な可変入球手段と、
作動条件成立を検出すると共に、該作動条件成立に基づいて遊技者に有利な特別遊技状態を発生させるか否かの抽選を行う主制御手段と、
前記主制御手段の抽選結果に基づいて前記絵柄の変動表示を行うと共に、前記抽選手段の抽選結果が前記特別遊技状態当選の場合には、前記絵柄が特定絵柄で停止するよう前記絵柄表示手段を表示制御する表示制御手段と、
前記可変入球手段に遊技球が入球した場合、予め定めた特典を遊技者に付与する特典付与手段と
を備え、
前記主制御手段は、
前記抽選手段の抽選結果が前記特別遊技状態当選であって前記絵柄の変動表示が終了した場合に、遊技状態を前記特別遊技状態に移行させる特別遊技状態移行手段と、
前記特別遊技状態に移行した場合に、前記可変入球手段を前記閉鎖状態から前記開放状態に切り換える開放制御を行う開放制御手段と
該開放制御手段が開放制御を開始してから規定時間が経過した場合、又は前記可変入球手段に規定数の遊技球が入球した場合に、当該可変入球手段を閉鎖状態に切り換える閉鎖制御を行う閉鎖制御手段と、
前記可変入球手段に遊技球が入球した場合、前記特典を付与するよう前記特典付与手段に指示を行う指示手段と
を備え、
前記表示制御手段は、前記特別遊技状態に移行してから該特別遊技状態が終了するまでの間、特別遊技状態演出を行うよう前記絵柄表示手段を表示制御する遊技機において、
前記可変入球手段に遊技球が入球したことを検出する入球検出手段を複数設け、
該複数の入球検出手段のうち１つの入球検出手段を前記主制御手段と電気的に接続すると共に、他の入球検出手段を前記表示制御手段と電気的に接続し、
前記表示制御手段は、前記他の入球検出手段による前記遊技球の入球検出に基づいて、前記特別遊技状態演出の表示内容を変更するよう前記絵柄表示手段を表示制御する表示内容変更手段を備えることを特徴とする遊技機。
【請求項２】
前記表示内容変更手段は、前記特別遊技状態演出を行うための演出データを予め複数記憶する演出データ記憶手段と、前記複数の演出データから１つの演出データを選択する演出データ選択手段と、該演出データ選択手段の選択した演出データを前記絵柄表示手段に出力することにより、前記演出データと対応する特別遊技状態演出を前記絵柄表示手段に行わせる演出データ出力手段とを備え、前記演出データ選択手段は、予め定めた所定数の遊技球が前記可変入球手段に入球した場合に、前記演出データの選択を行うことを特徴とする請求項１に記載の遊技機。
【請求項３】
前記表示内容変更手段は、前記他の入球検出手段が前記遊技球の入球を検出したことに基づいて、前記可変入球手段に入球した遊技球数を把握する入球数把握手段と、該入球数把握手段の把握する遊技球数が前記所定数と一致するか否かを判定する判定手段とを備え、前記演出データ選択手段は、前記判定手段が一致すると判定した場合に、前記演出データの選択を行うことを特徴とする請求項２に記載の遊技機。
【請求項４】
前記所定数を予め複数設定すると共に、前記演出データ選択手段は、前記可変入球手段に入球した遊技球数が前記各所定数と一致する毎に、前記演出データの選択を行うことを特徴とする請求項２又は３に記載の遊技機。
【請求項５】
表示部に絵柄を変動表示する絵柄表示手段と、
遊技球を遊技領域に発射させるべく操作される操作手段と、
前記遊技領域に設けられると共に、遊技球が入球し易い開放状態とその開放状態より入球しにくい閉鎖状態とに切り換え可能な可変入球手段と、
作動条件成立を検出すると共に、該作動条件成立に基づいて遊技者に有利な特別遊技状態を発生させるか否かの抽選を行う主制御手段と、
前記主制御手段の抽選結果に基づいて前記絵柄の変動表示を行うと共に、前記抽選手段の抽選結果が前記特別遊技状態当選の場合には、前記絵柄が特定絵柄で停止するよう前記絵柄表示手段を表示制御する表示制御手段と、
前記可変入球手段に遊技球が入球した場合、予め定めた特典を遊技者に付与する特典付与手段と
を備え、
前記主制御手段は、
前記抽選手段の抽選結果が前記特別遊技状態当選であって前記絵柄の変動表示が終了した場合に、遊技状態を前記特別遊技状態に移行させる特別遊技状態移行手段と、
前記特別遊技状態に移行した場合に、前記可変入球手段を前記閉鎖状態から前記開放状態に切り換える開放制御を行う開放制御手段と
該開放制御手段が開放制御を開始してから規定時間が経過した場合、又は前記可変入球手段に規定数の遊技球が入球した場合に、当該可変入球手段を閉鎖状態に切り換える閉鎖制御を行う閉鎖制御手段と、
前記可変入球手段に遊技球が入球した場合、前記特典を付与するよう前記特典付与手段に指示を行う指示手段と
を備え、
前記表示制御手段は、前記特別遊技状態に移行してから該特別遊技状態が終了するまでの間、特別遊技状態演出を行うよう前記絵柄表示手段を表示制御する遊技機において、
前記可変入球手段を複数設け、
前記特典付与手段を、遊技球の入球した可変入球手段に応じて異なる特典を付与する構成とすると共に、前記開放制御手段を、遊技状態が前記特別遊技状態に移行した場合、前記可変入球手段の全てが閉鎖状態にある状況下でいずれかの可変入球手段を開放状態に切り換える開放制御を行う構成とし、
遊技球が入球したことを検出する入球検出手段を、前記各可変入球手段にそれぞれ複数設け、
各可変入球手段に設けられた複数の入球検出手段のうち１つの入球検出手段を前記主制御手段と電気的に接続すると共に、他の入球検出手段を前記表示制御手段と電気的に接続し、
前記主制御手段は、
前記各可変入球手段の開閉回数の合計が特定回数となるように、前記特別遊技状態下における可変入球手段の開閉態様を設定する開閉態様設定手段を備え、
前記表示制御手段は、
前記開閉態様設定手段の設定した開閉態様に基づいて、次回の開放制御が行われる可変入球手段を把握する開閉態様把握手段と、
前記他の入球検出手段による前記遊技球の入球検出に基づいて、前記特別遊技状態演出の表示内容を、前記開閉態様把握手段の把握結果に応じた表示内容に変更するよう前記絵柄表示手段を表示制御する表示内容変更手段を備えることを特徴とする遊技機。
【請求項６】
前記表示内容変更手段は、前記特別遊技状態演出を行うための演出データを予め複数記憶する演出データ記憶手段と、前記複数の演出データから１つの演出データを選択する演出データ選択手段と、該演出データ選択手段の選択した演出データを前記絵柄表示手段に出力することにより、前記演出データと対応する特別遊技状態演出を前記絵柄表示手段に行わせる演出データ出力手段と、前記他の入球検出手段が前記遊技球の入球を検出したことに基づいて、前記開放制御中の可変入球手段に入球した遊技球数を把握する入球数把握手段と、該入球数把握手段の把握する遊技球数が前記所定数と一致するか否かを判定する判定手段とを備え、
前記演出データ選択手段は、予め定めた所定数の遊技球が開放制御中の可変入球手段に入球し、前記判定手段が一致すると判定した場合に、前記開閉態様把握手段の把握結果に応じて前記演出データの選択を行うことを特徴とする請求項５に記載の遊技機。